(57)【要約】【課題】乳幼児がいたりペットを飼っている家庭であっても、室内に植木鉢を安心して置くことができる植木鉢用イタズラ防止用具および植木鉢のイタズラ防止方法を提供することである。【解決手段】所定高さ（Ｈ）を有し、水平方向に延びたシート状本体（１２）を備え、シート状本体の一方又は両方の側面に垂直方向に延びた複数の突起（１４）が所定間隔隔てて形成され、或いは、シート状本体自体に垂直方向に延びた複数の開口が所定間隔隔てて形成されており、シート状本体をロール状態及び／又は積層状態にして、植木鉢の土の部分に密に充填することにより、垂直方向に延びた多数の空隙（１６）が形成された状態で植木鉢の土の部分が被覆されることを特徴とする。【選択図】  図１
2004222565.tif 000002
【特許請求の範囲】
【請求項１】
植木鉢用イタズラ防止用具であって、
所定高さを有し、水平方向に延びたシート状本体を備え、前記シート状本体の一方又は両方の側面に垂直方向に延びた複数の突起が所定間隔隔てて形成され、或いは、前記シート状本体自体に垂直方向に延びた複数の開口が所定間隔隔てて形成されており、
前記シート状本体を、巻いてロール状態にしたり、折り返して積層状態にしたり、或いは、ロール状態と積層状態とを組み合わせた状態にして、植木鉢の土の部分に密に充填することにより、垂直方向に延びた多数の空隙が形成された状態で植木鉢の土の部分が被覆されることを特徴とする用具。
【請求項２】
植木鉢へのイタズラを防止するイタズラ防止方法であって、
請求項１に記載された植木鉢用イタズラ防止用具を準備し、
前記植木鉢用イタズラ防止用具をロール状態及び／又は積層状態にして植木鉢の土の部分に密に充填し、植木鉢の土の部分を被覆する、
ことを特徴とする方法。
【請求項３】
前記植木鉢用イタズラ防止用具を植木鉢の土の部分に充填する前に、垂直方向に延びた多数の開口を有する１又は複数の被覆プレートを植木鉢の土の部分に配置することを特徴とする請求項２に記載の方法。
【発明の詳細な説明】
【０００１】
【発明の属する技術分野】
本発明は、植木鉢用イタズラ防止用具および植木鉢のイタズラ防止方法に関する。
【０００２】
【従来の技術】
犬や猫などのペットには地面に穴を掘る習性があるため、室内に植木鉢を置いた場合に植木鉢の土を掘り返して室内を汚してしまうことがある。また、乳幼児も好奇心が旺盛であるため、植木鉢の土を掘り返したり、土や石を口に入れることがあり、非常に危険である。従来の植木鉢のイタズラ防止の対処法としては、植木鉢をビニール等のカバーで被覆する方法や、円形のプレートを土の上に載せる方法などが提案されている。
【０００３】
【発明が解決しようとする課題】
しかしながら、カバーで被覆する方法では、虫が発生したり、植物が弱ったりすることがあり、外観上からも好ましくない。また、プレートを載せる方法では、鉢の形状は多様であり、１つの鉢に複数の木を植えている場合もあるため、使用しにくく、また、給水が困難であり、通気性が悪いという不都合がある。このように従来の対処法では、満足のいく効果が得られないため、ペットを飼っていたり、乳幼児がいる家庭では、室内に植木鉢を置くのを諦める場合も多い。
【０００４】
本発明は、このような状況に鑑みて案出されたものであって、乳幼児がいたりペットを飼っている家庭であっても、室内に植木鉢を安心して置くことができる植木鉢用イタズラ防止用具および植木鉢のイタズラ防止方法を提供することを目的としている。
【０００５】
【課題を解決するための手段】
本願請求項１に記載の植木鉢用イタズラ防止用具は、所定高さを有し、水平方向に延びたシート状本体を備え、前記シート状本体の一方又は両方の側面に垂直方向に延びた複数の突起が所定間隔隔てて形成され、或いは、前記シート状本体自体に垂直方向に延びた複数の開口が所定間隔隔てて形成されており、前記シート状本体を、巻いてロール状態にしたり、折り返して積層状態にしたり、或いは、ロール状態と積層状態とを組み合わせた状態にして、植木鉢の土の部分に密に充填することにより、垂直方向に延びた多数の空隙が形成された状態で植木鉢の土の部分が被覆されることを特徴とするものである。
【０００６】
本願請求項２に記載の植木鉢のイタズラ防止方法は、請求項１に記載された植木鉢用イタズラ防止用具を準備し、前記植木鉢用イタズラ防止用具をロール状態及び／又は積層状態にして植木鉢の土の部分に密に充填し、植木鉢の土の部分を被覆することを特徴とするものである。
【０００７】
本願請求項３に記載の植木鉢のイタズラ防止方法は、前記請求項２の方法において、前記植木鉢用イタズラ防止用具を植木鉢の土の部分に充填する前に、垂直方向に延びた多数の開口を有する１又は複数の被覆プレートを植木鉢の土の部分に配置することを特徴とするものである。
【０００８】
【発明の実施の形態】
次に図面を参照して、本発明の好ましい実施の形態について詳細に説明する。図１において全体として参照符号１０で示される本発明の第１の実施の形態に係る植木鉢用イタズラ防止用具は、所定高さＨを有し、水平方向に延びたシート状本体１２を備えている。シート状本体１２の一方の側面（図１では、手前の側面）には、三角形の横断面を有し、垂直方向に延びた複数の突起１４が所定間隔隔てて設けられている。
【０００９】
シート状本体１２は、例えばプラスチックのような合成樹脂材料などの可撓性材料で形成されており、巻いてロール状態にしたり（図２（ａ）参照）、折り返して積層状態にしたり（図２（ｂ）参照）、或いは、ロール状態と積層状態とを組み合わせた状態にしたりすることができるようになっている。シート状本体１２をロール状態にしたり積層状態にしたりすると、突起１４のため、垂直方向に延びた空隙１６が形成されることとなる。
【００１０】
なお、シート状本体１２と突起１４は、一体に形成するのが好ましい。また、突起１４の横断面形状は、シート状本体１２をロール状態にしたり積層状態にしたりした場合に、垂直方向に延びた空隙１６が形成されるようなものであれば、他の形状（例えば、半円形、台形）でもよい。
【００１１】
図３は、本発明の第２の実施の形態に係る植木鉢用イタズラ防止用具２０を示した斜視図である。植木鉢用イタズラ防止用具２０は、所定高さＨを有し、水平方向に延びたシート状本体２２を備えており、シート状本体２２は、垂直方向に延びた円形の開口２４を有する円筒形の筒状体２２ａと、隣接する筒状体２２ａを連結するプレート状の連結部２２ｂとによって構成されている。
【００１２】
図４は、本発明の第３の実施の形態に係る植木鉢用イタズラ防止用具３０を示した斜視図である。植木鉢用イタズラ防止用具３０は、所定高さＨを有し、水平方向に延びたシート状本体３２を備えており、シート状本体３２の厚み部分には、垂直方向に延びた正方形の開口３４が所定間隔隔てて設けられている。
【００１３】
図５は、本発明の第４の実施の形態に係る植木鉢用イタズラ防止用具４０を示した斜視図である。植木鉢用イタズラ防止用具４０は、所定高さＨを有し、水平方向に延びたシート状本体４２を備えており、シート状本体４２は、Ω形の横断面を有する構造体４２ａ同士を互いに連結することによって構成されている。植木鉢用イタズラ防止用具４０の場合には、Ω形の構造体４２ａによって形作られる開いた開口が、上述の植木鉢用イタズラ防止用具２０、３０における開口２４、３４に相当することになる。
【００１４】
図６は、本発明の第５の実施の形態に係る植木鉢用イタズラ防止用具５０を示した斜視図である。植木鉢用イタズラ防止用具５０は、所定高さＨを有し、水平方向に延びたシート状本体５２を備えており、シート状本体５２は、垂直方向に延びた円形の開口５４を有する円筒形の筒状体５２ａと、隣接する筒状体５２ａを互いに連結するピン５２ｂとによって構成されている。
【００１５】
シート状本体２２、３２、４２、５２は、シート状本体１２と同様に、合成樹脂材料などの可撓性材料で形成されており、ロール状態にしたり積層状態にしたりし易いようになっている。
【００１６】
次に、以上のように構成された植木鉢用イタズラ防止用具の使用について説明する。図７は、植木鉢用イタズラ防止用具５０を使用して、植木鉢の土の部分を被覆した状態を示した平面図である。すなわち、植木鉢用イタズラ防止用具５０をロール状態及び／又は積層状態にして植木鉢の土の部分に密に充填し、植木鉢の土の部分を被覆したものである。
【００１７】
図８は、植木鉢が大きい場合の使用例を示した平面図である。植木鉢が大きい場合には土の部分の面積が広いため、植木鉢用イタズラ防止用具のみを使用して土の部分を被覆するのは手間がかかるため、多数の開口を有する被覆プレートを使用するのがよい。被覆プレートとしては、例えば矩形のプレート６０に垂直方向に延びた多数の開口６０ａを設けたもの（図９（ａ）参照）や、扇形のプレート６２に垂直方向に延びた多数の開口６２ａを設けたもの（図９（ｂ）参照）が考えられるが、他の形状、例えば三角形や台形状のプレートを使用してもよい。被覆プレートを使用する場合には、まず、図８（ａ）に示されるように、適当な被覆プレート６０、６２を土の部分に配置し、被覆プレート６０、６２で覆われていない土の部分に、ロール状態及び／又は積層状態にした植木鉢用イタズラ防止用具５０を密に充填し（図８（ｂ）参照）、植木鉢の土の部分を完全に被覆する。
【００１８】
なお、図１０に示されるような固定ピン６４を使用して、植木鉢用イタズラ防止用具を土にしっかりと固定するのが好ましい。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
たとえば、前記実施の形態では、第１乃至第５の５つの実施の形態に係る植木鉢用イタズラ防止用具１０、２０、３０、４０、５０が記載されているが、ロール状態及び／又は積層状態にした時に垂直方向に延びた空隙が形成されるものであれば、他の形態に形成してもよい。より詳細に説明すると、上述の植木鉢用イタズラ防止用具は、シート状本体自体に開口が形成されている型式（閉じた開口が形成されているものは用具２０、３０、５０、開いた開口が形成されているものは用具４０）と、シート状本体の一方の側面に突起が形成されている型式に分類されるが、開口の形状を上述のものとは異なる形状にしてもよいし、或いは、突起を形状を変えたり突起の両方の側面に形成したりしてもよい。また、シート状本体を、例えば耐水加工した紙で形成してもよい。
【００２１】
なお、本発明の植木鉢用イタズラ防止用具は、植木鉢の土の部分を被覆するのに適した長さに切断して使用されるが、切断した残部も、無駄にすることなく他の植木鉢の被覆に用いることができる。
【００２２】
【発明の効果】
本発明によれば、植木鉢の形状、植木鉢に植えられている植物の種類、大きさ、本数、位置関係にかかわらず、植木鉢の土の部分を容易に被覆することができるので、ペットや乳幼児のイタズラを効果的に防止することができる。また、本発明によって土の部分を被覆しても、多数の空隙が設けられているので、通気性や給水性の問題が生ずることはない。また、本発明によって土の部分を被覆することにより、土の表面を覆って土の保温や保湿を企図したり、給水等の際の泥の跳ね返りで植物が病気になることを予防する等の、いわゆるマルチング効果を期待することができる。また、土の表面が見えにくくなるので、衛生的で外観も良く、誤って植木鉢を倒した場合でも、土がこぼれにくい等の効果も得られる。さらに、本発明のイタズラ防止用具は、切断した残部を他の植木鉢の被覆に使用したり、植え替え時に再利用したりできるので、経済的でもある。
【図面の簡単な説明】
【図１】本発明の第１の実施の形態に係る植木鉢用イタズラ防止用具の斜視図である。
【図２】（ａ）は図１の植木鉢用イタズラ防止用具を巻いてロール状態にした図、（ｂ）は折り返して積層状態にした図である。
【図３】本発明の第２の実施の形態に係る植木鉢用イタズラ防止用具の斜視図である。
【図４】本発明の第３の実施の形態に係る植木鉢用イタズラ防止用具の斜視図である。
【図５】本発明の第４の実施の形態に係る植木鉢用イタズラ防止用具の斜視図である。
【図６】本発明の第５の実施の形態に係る植木鉢用イタズラ防止用具の斜視図である。
【図７】本発明の植木鉢用イタズラ防止用具を使用して、植木鉢の土の部分を被覆した状態の一例を示した平面図である。
【図８】本発明の植木鉢用イタズラ防止用具を使用して、植木鉢の土の部分を被覆した状態の別の例を示した平面図である。
【図９】本発明の植木鉢用イタズラ防止用具とともに使用する被覆プレートの例を示した斜視図である。
【図１０】本発明の植木鉢用イタズラ防止用具を固定するのに使用する固定ピンを示した図である。
【符号の説明】
１０、２０、３０、４０、５０  植木鉢用イタズラ防止用具
１２、２２、３２、４２、５２  シート状本体
１４  突起
２４、３４、５４  開口
６０、６２  被覆プレート
６４  固定ピン
【図１】
2004222565.tif 000003
【図２】
2004222565.tif 000004
【図３】
2004222565.tif 000005
【図４】
2004222565.tif 000006
【図５】
2004222565.tif 000007
【図６】
2004222565.tif 000008
【図７】
2004222565.tif 000009
【図８】
2004222565.tif 000010
【図９】
2004222565.tif 000011
【図１０】
2004222565.tif 000012